(57)【要約】【課題】ガイドレール上を移動する可動台座にケーブルダクトチェーンが止着された表示ボード用プロジェクターの走行装置として、伝送ケーブルの配線が容易であり、外観体裁がよく、ガイドレールが高剛性で強度的に優れ、プロジェクターの安定した滑らかな走行移動を可能にするものを提供する。【解決手段】ガイドレール２は、前後両側に長手方向に連続する中空部２１，２２を有し、両中空部２１，２２間が上方に開放した配線用溝部２３をなすレール本体２０と、レール本体２０に止着されて配線用溝部２３を封鎖する蓋板部材６とを備える。プロジェクター３を搭載した可動台座４が前後両側に各々複数個の支持ローラー４１，４２を備え、これら支持ローラー４１，４２がレール本体２０の前後の両中空部２１，２２上を転動し、ケーブルダクトチェーン５が可動台座４側の止着部５ａを上にしてＵターン状に折り返す形で蓋板部材６上に配置する。【選択図】図５
2016112817.tif 000002
【特許請求の範囲】
【請求項１】
表示ボードの長手方向に沿うガイドレール上にプロジェクターを搭載した可動台座が移動自在に載置され、該可動台座にプロジェクター用伝送ケーブルを保持させるケーブルダクトチェーンが止着され、
前記ガイドレールは、前後両側に長手方向に連続する中空部を有して、両中空部間が上方に開放した配線用溝部をなすレール本体と、このレール本体に止着されて前記配線用溝部を封鎖する蓋板部材とを備え、
前記可動台座は前後両側に各々複数個の支持ローラーを備え、これら支持ローラーが前記レール本体の前後の両中空部上を転動すると共に、前記ケーブルダクトチェーンが可動台座側の止着部を上にしてＵターン状に折り返す形で前記蓋板部材上に配置するように構成されてなる表示ボード用プロジェクターの走行装置。
【請求項２】
前記レール本体が前記配線用溝部において表示ボードの上枠部にビス止めされてなる請求項１に記載の表示ボード用プロジェクターの走行装置。
【請求項３】
表示ボードの長手方向に沿う壁付け用枠材を備えると共に、前記レール本体の後面側上部に掛止片が一体形成され、
該壁付け用枠材は、長手方向に連続する中空部の上下に壁取付片が一体形成されると共に、該中空部の前面側に上位の掛止部と下位のレール受け部とを有し、
上下の壁取付片のビス止め又はボルト止めで建物壁面に固着された該壁付け用枠材に対し、レール本体が、その掛止片を前記掛止部に掛合して、且つ後部底面側を前記レール受け部上に載置してビス止めすることにより、表示ボード設置部の上側に取り付けられてなる請求項１に記載の表示ボード用プロジェクターの走行装置。
【請求項４】
前記レール本体の後面側下端部に長手方向に連続する下向き突片が一体形成され、壁付け用枠材の前記レール受け部の基部に該下向き突片を嵌合させる溝部が形成されてなる請求項３に記載の表示ボード用プロジェクターの走行装置。
【請求項５】
前記蓋板部材の前後一方側に、長手方向に連続する下向きの係止片が一体形成されると共に、前記レール本体における配線用溝部の前後一方側の開口縁近傍に長手方向に連続する係止溝が形成され、該蓋板部材が前後一方側で前記係止片を前記係止溝に係合して、且つ前後他方側でレール本体の配線用溝部の前後他方側の開口縁近傍にビス止めされてなる請求項１〜４のいずれかに記載の表示ボード用プロジェクターの走行装置。
【発明の詳細な説明】
【技術分野】
【０００１】
本発明は、ホワイトボード、スクリーンボード、電子黒板、黒板等の表示ボードの表面、ならびにこれらの表面に設置した映写スクリーンに映像を投影するプロジェクターの走行装置に関する。
【背景技術】
【０００２】
表示ボード用プロジェクターとして、映像の投影位置を表示ボード長手方向に可変としたものがある。例えば、特許文献１には、メインボードの前面に小面積のサブボードが左右移動可能に配置し、このサブボードにプロジェクターを一体的に設けたものが開示されている。また、特許文献２には、通常黒板の前面に小面積の電子黒板がスライド可能に設置され、この電子黒板にプロジェクターを一体的に設けたものが開示されている。更に、特許文献３には、表示ボードの上端部又は建物壁面の表示ボート設置部の上位にガイドレールを設け、このガイドレールにプロジェクターの取付支持枠（台座）を表示ボート長手方向に移動自在に設けたものが提案されている。
【０００３】
ところが、特許文献１，２の開示技術は、メインボードや通常黒板に小面積のサブボードや電子黒板を移動可能に付設した構成に限られ、これら小面積のサブボードや電子黒板を付設しない一般的な表示ボードには適用できないという難点があった。一方、特許文献３の提案技術では、プロジェクターの取付支持枠を表示ボードとは別体のガイドレールに設けるから、表示ボード側の構成に制約されずに該プロジェクターを投影位置可変に設置でき、既設の表示ボードにも後付けする形で容易に適用できるという利点がある。
【０００４】
しかるに、プロジェクターには映像・音声信号の伝送ケーブル、電源ケーブル、プロジェクター制御用の信号ケーブル、ネットワーク接続用ケーブル等の複数本の伝送ケーブルが接続されるが、特許文献３のようなガイドレールを利用した可動式プロジェクターの場合、これら伝送ケーブルをプロジェクターの移動範囲に対応して長めに可変配線する必要があり、その配線の余裕部分がプロジェクターの可動台座に絡んだり、該可動台座とガイドレールとの間に噛み込んだりしてプロジェクターの移動を妨げると共に、プロジェクターの移動に伴う曲がり部分が偏って劣化を早める懸念があり、また複数本の伝送ケーブルが余剰状態で乱れて露呈することで表示ボードの外観を悪くするという問題もあった。
【先行技術文献】
【特許文献】
【０００５】
【特許文献１】特開２００９−１１３４４６号公報
【特許文献２】特開２００９−１１９６６３号公報
【特許文献３】特開２０１４−０８３６９３号公報
【発明の概要】
【発明が解決しようとする課題】
【０００６】
ガイドレールを利用した可動式プロジェクターにおける上記の対策として、複数本の伝送ケーブルの可変配線部をまとめてケーブルダクトチェーンに保持させることが考えられる。この場合、ケーブルダクトチェーンの一端側をプロジェクターの可動台座に止着し、他端側をガイドレールの中間部に固定するが、各伝送ケーブルの可変配線部は、該ケーブルダクトチェーンと一体化することで、プロジェクターの移動に伴って曲がり部分が一定の曲率を保って移行してゆく形になるから、曲がりの局所的な集中による劣化を防止できる。ただし、ケーブルダクトチェーンの固定位置まで各伝送ケーブルを外部から引き込むから、その配線作業が容易であることと、配線部分による外観低下を回避することが必要である。
【０００７】
また、全長の長い（左右幅の広い）表示ボードでは対応するガイドレールも長くなり、それだけガイドレールが高剛性で強度的に優れることも要求される。一方、可動式プロジェクターのガイドレールは、表示ボード上に取り付ける場合と、表示ボードの構造や周辺状況によって建物壁面への取り付けが必要になる場合とがあるから、両方の取り付けに対応できることが望ましい。更に、プロジェクターの走行を自動化する場合、その走行駆動機構をガイドレールに組み付けることになるが、前記ケーブルダクトチェーンを含めて走行部全体を機能的にコンパクトに構成する必要もある。
【０００８】
本発明は、上述の事情に鑑み、表示ボード用プロジェクターの走行装置として、該プロジェクターの可動台座がガイドレール上を移動し、該可動台座に伝送ケーブルを保持させるケーブルダクトチェーンが止着された構成において、外部からケーブルダクトチェーンの固定位置までの各伝送ケーブルの配線が容易であり、外観体裁もよい上、ガイドレールが高剛性で強度的に優れると共に、プロジェクターの安定した滑らかな走行移動を可能にするものを提供することを第一の課題としている。また、同走行装置として、ガイドレールが表示ボード上と建物壁面との両方の取り付けに対応できるものを提供することを第二の課題としている。
【課題を解決するための手段】
【０００９】
上記課題を解決するための手段を図面の参照符号を付して示せば、請求項１の発明に係る表示ボード用プロジェクターの走行装置は、表示ボード１の長手方向に沿うガイドレール２上にプロジェクター３を搭載した可動台座４が移動自在に載置され、該可動台座４にプロジェクター用伝送ケーブルＣを保持させるケーブルダクトチェーン５が止着され、ガイドレール２は、前後両側に長手方向に連続する中空部２１，２２を有して、両中空部２１，２２間が上方に開放した配線用溝部２３をなすレール本体２０と、このレール本体２０に止着されて配線用溝部２３を封鎖する蓋板部材６とを備え、可動台座４が前後両側に各々複数個の支持ローラー４１，４２を備え、これら支持ローラー４１，４２がレール本体２０の前後の両中空部２１，２２上を転動すると共に、ケーブルダクトチェーン５が可動台座４側の止着部（可動端部５ａ）を上にしてＵターン状に折り返す形で蓋板部材６上に配置するように構成されてなる。
【００１０】
請求項２の発明は、上記請求項１の表示ボード用プロジェクターの走行装置において、レール本体２０が配線用溝部２３において表示ボード１の上枠部１１にビス止めされてなる構成としている。
【００１１】
請求項３の発明は、上記請求項１の表示ボード用プロジェクターの走行装置において、表示ボード１の長手方向に沿う壁付け用枠材７を備えると共に、レール本体２０の後面側上部に掛止片２４が一体形成され、該壁付け用枠材７は、長手方向に連続する中空部７０の上下に壁取付片７１，７２が一体形成されると共に、該中空部７０の前面側に上位の掛止部７３と下位のレール受け部７４とを有し、上下の壁取付片７１，７２のビス止め又はボルト止めで建物壁面Ｗに固着された該壁付け用枠材７に対し、レール本体２０が、その掛止片２４を掛止部７３に掛合して、且つ後部底面側をレール受け部７４上に載置してビス止めすることにより、表示ボード設置部の上側に取り付けられてなる構成としている。
【００１２】
請求項４の発明は、上記請求項３の表示ボード用プロジェクターの走行装置において、レール本体２０の後面側下端部に長手方向に連続する下向き突片２５が一体形成され、壁付け用枠材７のレール受け部７４の基部に該下向き突片２５を嵌合させる溝部７５が形成されてなる構成としている。
【００１３】
請求項５の発明は、上記請求項１〜４のいずれかの表示ボード用プロジェクターの走行装置において、蓋板部材６の前後一方側に、長手方向に連続する下向きの係止片６２が一体形成されると共に、レール本体２０における配線用溝部２３の前後一方側の開口縁近傍に長手方向に連続する係止溝２７が形成され、該蓋板部材６が前後一方側で係止片６２を係止溝２７に係合して、且つ前後他方側でレール本体２０の配線用溝部２３の前後他方側の開口縁近傍にビス止めされてなる構成としている。
【発明の効果】
【００１４】
以下に、本発明の効果について、図面の参照符号を付して説明する。まず、請求項１の発明によれば、プロジェクター３を走行させるガイドレール２は、レール本体２０が前後両側に長手方向に連続する中空部２１，２２を有することで高剛性であることに加え、該プロジェクター３を搭載した可動台座４の前後両側の支持ローラー４１，４２が両中空部２１，２２上を転動し、プロジェクター３部分の全体重量を両中空部２１，２２で受ける形になるから、長尺であってもガイドレール２としての充分な強度を確保できる。そして、プロジェクター３がガイドレール２上を移動する際、各伝送ケーブルＣの可変配線部は、ケーブルダクトチェーン５に保持されて曲がり部分が一定の曲率を保って移行してゆくから、曲がりの局所的な集中による劣化が防止される。しかも、各伝送ケーブルＣの外部からケーブルダクトチェーン５の固定位置までの引き込み配線は、ガイドレール２の両中空部２１，２２間の上方に開放した配線用溝部２３を通して行えるため、該ガイドレール２が長尺であっても極めて作業容易である上、該配線用溝部２３が蓋板部材６によって封鎖されるから、その配線部分が外部に露呈せず、外観体裁が良いことに加えて配線の保護にもなる。更に、ケーブルダクトチェーン５が蓋板部材６上に配置し、ガイドレール２の左右一方側において可動台座４が当該ケーブルダクトチェーン５の折り返し下側部分を跨いだ状態で移動でき、もってガイドレール２の前後幅を狭くして走行部全体を機能的にコンパクトに構成できる。
【００１５】
請求項２の発明によれば、レール本体２０は、表示ボード１の上枠部１１に対し、上方に開放した配線用溝部２３でビス止めするから、ガイドレール２が長尺であっても極めて容易にビス止め操作を行える。
【００１６】
請求項３の発明によれば、プロジェクター３を建物壁面Ｗに取り付ける際、該建物壁面Ｗに壁付け用枠材７をビス止め又はボルト止めし、その掛止部７３にガイドレール２のレール本体２０側の掛止片２４を掛合すると共に、該レール本体２０の後部底面側を壁付け用枠材７のレール受け部７４上に載置してビス止めすることにより、簡単にガイドレール２を安定した状態に壁付けできる。
【００１７】
請求項４の発明によれば、上記の壁付けに際し、レール本体２０側の下向き突片２５を壁付け用枠材７の溝部７５に嵌合させることで、レール本体２０が安定した状態で該壁付け用枠材７に保持されるから、次のビス止め作業をより容易に行える。
【００１８】
請求項５の発明によれば、ガイドレール２の蓋板部材６は、前後一方側の下向きの係止片６２をレール本体２０の係止溝２７に係合し、前後他方側で該レール本体２０にビス止めするから、該レール本体２０に対する取り付けを容易に能率よく行える。
【図面の簡単な説明】
【００１９】
【図１】本発明のプロジェクターの走行装置を設けた表示ボードを示し、（ａ）は正面図、（ｂ）は平面図、（Ｃ）は側面図である。
【図２】プロジェクター及びケーブルダクトチェーン取付前の同走行装置を斜め後方側から見た斜視図である。
【図３】同走行装置のガイドレールの縦断側面図である。
【図４】同走行装置の壁付け用枠材の縦断側面図である。
【図５】同ガイドレールにおける可動台座の配置状態を示す一部切欠正面図である。
【図６】同可動台座の配置状態を示す縦断正面図である。
【図７】プロジェクター支柱を取り付けた同可動台座の斜視図である。
【図８】同可動台座における歯付きベルトの止着操作を示す斜視図である。
【図９】同走行装置の表示ボードに対する取付状態を示す縦断側面図である。
【図１０】同走行装置の建物壁面に対する取付状態を示し、（ａ）はボルト止め、（ｂ）はビス止めにおける各々縦断側面図である。
【発明を実施するための形態】
【００２０】
以下に、本発明の一実施形態に係る表示ボード用プロジェクターの走行装置について、図面を参照して具体的に説明する。
【００２１】
図１（ａ）〜（ｃ）において、１は横長矩形の昇降式表示ボードであり、その背面側において建物壁面Ｗに固定された取付基枠９に、図示省略した昇降機構を介して昇降可能に取り付けられている。そして、この表示ボード１の上枠部１１上に、該表示ボード１の長手方向に沿うガイドレール２が取り付けられ、このガイドレール２上にプロジェクター３を搭載した可動台座４が左右方向移動自在に載置されている。また、ガイドレール２上には、一端側を可動台座４に、他端側を当該ガイドレール２の中間部に各々止着したケーブルダクトチェーン５が、可動台座４側の止着部を上にしてＵターン状に折り返す形で配置している。
【００２２】
なお、プロジェクター３は、可動台座４上に立設したプロジェクター支柱３１の上部から前方へ突出する伸縮アーム３２の先端に保持されており、表示ボード１の板面１ａに映像Ｒを投影するようになっている。１２は表示ボード１の中央下部に取り付けられたブレーキ操作ハンドルであり、把持して上げ下げ操作することにより、表示ボード１をガイドレール２及びプロジェクター３と一体に図１（ａ）の仮想線で示す上下限位置まで昇降できると共に、手放すことでブレーキがかかり、該表示ボード１が定位置に保持されるようになっている。
【００２３】
ガイドレール２は、図２及び図３に示すように、前後両側に長手方向に連続する断面略矩形の中空部２１，２２を有するレール本体２０と、該レール本体２０の両中空部２１，２２間に構成される配線用溝部２３を封鎖する蓋板部材６とで構成される。また、このガイドレール２には、図４で示す壁付け用枠材７が付属している。なお、これらレール本体２０及び蓋板部材６と壁付け用枠材７は、アルミ押出型材にて形成され、略等しい長さに設定されている。
【００２４】
レール本体２０には、図３の縦断面にて詳細に示すように、後側中空部２２の後面側上部に位置する断面逆Ｌ字状の掛止片２４と、同後面側下端部に位置する下向き突片２５とが長手方向に連続して突設されると共に、後側中空部２２上には前後に対向立設した断面逆Ｌ字状の側壁部２６ａ，２６ｂにより、上方に開放して長手方向に連続するチャンネル状の走行ガイド枠部２６が構成されている。また、配線用溝部２３の前側開口縁には、長手方向に連続して上向きに開く係止溝２７が形成され、且つ前側中空部２１の前側上下隅部と後側中空部２２の後側上下隅部とに、長手方向に連続するビスホール２８を有している。更に、前側中空部２１の上面後部側には長手方向に連続して浅く段下する段部２１ａが形成されている。
【００２５】
そして、レール本体２０の左右両側部（長手方向両側部）では、図２に示すように、走行ガイド枠部２６が切除されており、この前側から見て左側切除部分には駆動プーリーＰ１とこれを回転させるシーケンサー付き直流駆動モーターＭが、右側切除部分には従動プーリーＰ２が、それぞれ取付枠２９を介して後側中空部２２上に設置されており、両プーリーＰ１，Ｐ２間に歯付きベルト８が巻装されている。また、左右の各取付枠２９は、歯付きベルト８のテンション調整を行えるように、後側中空部２２に対するビス止め部の長孔２９ａの範囲で取付位置の左右調整が可能になっている。なお、図２では、両プーリーＰ１，Ｐ２及び駆動モーターＭを、これらを覆うカバー部分にて示している。
【００２６】
一方、蓋板部材６には、同様に図３で詳細に示すように、水平帯板状の基板部６０の後部上面側に垂直な立ち上げ片６１、同後部下面側に突条６３、前部下面側に下方へ突出する縦断面Ｌ字形の係止片６２が各々長手方向に連続して形成されている。そして、該蓋板部材６は、図３の仮想線で示すように、レール本体２０の係止溝２７に係合すると共に、基板部６０における立ち上げ片６１より後方へ張出する延出部６０ａを、該レール本体２０の後側中空部２２の上面前部上に載せてビス止め（図９参照）することにより、該レール本体２０の配線用溝部２３を封鎖する形で当該レール本体２０に止着するように構成されている。なお、この止着状態で、蓋板部材６の立ち上げ片６１がレール本体２０の走行ガイド枠部２６の前側側壁部２６ａと略同高さで間隔を置いて対向すると共に、突条６３が後側中空部２２の前縁に略接するように寸法設定されている。
【００２７】
壁付け用枠材７は、図４の縦断面で示すように、長手方向に連続する縦長の中空部７０の上下に壁取付片７１，７２、該中空部７０の前面側上位に縦断面上向き鉤形をなす掛止部７３、前面側下位に前方へ張出するレール受け部７４、該レール受け部７４の基部に上向きに開く溝部７５が各々長手方向に連続して形成されている。そして、両壁取付片７１，７２と中空部７０の後面側は連続する平坦面をなすと共に、中空部７０の内側は中間仕切壁７６によって上下空間７０ａ，７０ｂに区画されている。また、該中空部７０内の後端上下隅と中間仕切壁７６の前端上側とにビスホール７７が設けてある。
【００２８】
可動台座４は、図２及び図５〜図７に示すように、プロジェクター支柱３１を立設した平面視略矩形の基枠４０の前後縁に垂下壁部４０ａ，４０ｂ、同左右縁に立ち上げ壁部４０ｃ，４０ｄがそれぞれ一体形成されており、その前縁の垂下壁部４０ａに前方へ突出する手動用把手４４がビス止めされると共に、右縁の立ち上げ壁部４０ｄには逆Ｌ字形のブラケット４５がビス止めされている。そして、図９でも示すように、基枠４０の前部下面側には縦断面逆Ｌ字形のローラー取付板４６がビス止めされ、このローラー取付板４６に複数個（図５では４個）の前部支持ローラー４１が枢着されると共に、該基枠４０の後縁の垂下壁部４０ｂにも複数個（図６では５個）の後部支持ローラー４２が前面側と後面側とに交互に配置して枢着されている。また、後縁の垂下壁部４０ｂの右端側には水平片４０ｅが切り曲げ形成され、この水平片４０ｅに横回転ローラー４３が枢着されている。更に、該基枠４０の後部側には、縦断面逆Ｌ字形のベルト取付枠４７が該基枠４０上に重ねた水平板部４７ａでビス止めされている。なお、図７における符号３３は、プロジェクター支柱３１の前面上部に設けた伸縮アーム取付用金具を示す。
【００２９】
ガイドレール２上における可動台座４は、図９でも示すように、前部支持ローラー４１がレール本体２０の前側中空部２１上の凹部２１ａに転接する一方、垂下壁部４０ｂの下部がその前面側及び後面側の２列の後部支持ローラー４２と共に該レール本体２０の走行ガイド枠部２６内に配置し、もって後側中空部２２上を後部支持ローラー４２が転接する。また、該走行ガイド枠部２６内には横回転ローラー４３も配置しており、この横回転ローラー４３の径が垂下壁部４０ｂの前面側と後面側の両後部支持ローラー４２，４２の外側面間の距離よりも大きく設定されていることにより、前後両側の後部支持ローラー４２，４２が走行ガイド枠部２６の前後の側壁部２６ａ，２６ｂに対して非接触状態に保たれると共に、当該横回転ローラー４３の両側壁部２６ａ，２６ｂの内面に転接することで、ガイドレール２上を移動する可動台座４の前後方向の位置ずれが防止される。
【００３０】
ケーブルダクトチェーン５は、図５に示すように、その可動端部５ａが可動台座４のブラケット４５の上端部に止着されると共に、固定端部５ｂがガイドレール２の中間位置において蓋板部材６の基板部６０に取付金具５１を介して止着され、蓋板部材６上でＵターン状に折り返して配置している。そして、ガイドレール２の左端側から配線用溝部２３を通して引き込まれた複数本のプロジェクター用伝送ケーブルＣが、蓋板部材６の基板部６０に設けた配線穴６０ａから導出してケーブルダクトチェーン５内に挿通され、その可動端部５ａから導出してプロジェクター支柱３１の基部側に設けた配線口３１ａへ導入され、その内部の所定の端子部（図示省略）に接続されている。
【００３１】
一方、歯付きベルト８は、図２，図６及び図７に示すように、ベルト取付枠４７の垂直板部４７ｂから左右両側に延設された略逆Ｌ字形の各ベルト止着片４７ｃと、その内側に対向配置する略逆Ｌ字形の各ベルト止着板４８との間で、各端部８０を止着する。具体的には、歯付きベルト８の各端部８０は、図８に示すように、ベルト止着板４８に設けた複数（図では３つ）のスリット状開口に順次挿通させ、この挿通状態で該ベルト止着板４８の透孔４８ｂを通してボルト４９ａをベルト取付枠４７のベルト止着片４７ｃに貫通させ、該ボルト４９ａにナット４９ｂ（図９参照）を螺合緊締することにより、該ベルト止着片４７ｃとベルト止着板４８との間で挟着固定する。
【００３２】
かくして可動台座４に止着された歯付きベルト８の両端部８０，８０は、駆動プーリーＰ１と従動プーリーＰ２間を周回する前側走行部８ａと後側走行部８ｂ（図２参照）の内、後側走行部８ｂ側に位置させている。そして、図９で示すように、歯付きベルト８の前側走行部８ａは蓋板部材６の立ち上げ片６１とレール本体２０の走行ガイド枠部２６の前側の側壁部２６ａとの間に配置すると共に、同後側走行部８ｂは該走行ガイド枠部２６内に配置し、これによって可動台座４の走行中に該歯付きベルト８がケーブルダクトチェーン５や他の部分に接触するのを防止している。
【００３３】
上記構成の表示ボード用プロジェクターの走行装置は、図１で例示した表示ボード１の上枠部１１上への取り付けと、該表示ボード１を設置する建物壁面Ｗへの取り付けとに共用できる。表示ボード１の上枠部１１上に取り付ける場合は、例えば図９に示すように、ガイドレール２のレール本体２０を、該上枠部１１上に所定間隔置きに配置したスペーサー１３を介して載せ、その上方に開放した配線用溝部２３を利用し、上方からビスＳを各スペーサー１３を通して上枠部１１に螺着すればよい。図中の符号１４は表示ボード１の昇降ガイド支柱を示す。なお、この走行装置は、表示ボード１の上枠部１１に対し、スペーサー１３を介さずに直接に取り付けることもできる。
【００３４】
一方、建物壁面Ｗに取り付ける場合は、図１０及び図１１に示すように、予め建物壁面Ｗの所定位置に壁付け用枠材７を固着しておき、この壁付け用枠材７にガイドレール２のレール本体２０を固定する。すなわち、壁付け用枠材７の掛止部７３及び溝部７５に、レール本体２０の掛止片２４及び下向き突片２５をそれぞれ係嵌させ、壁付け用枠材７のレール受け部７４をその上に載るレール本体２０の後部底面にビス止めすればよい。建物壁面Ｗに対する壁付け用枠材７の固着は、その上下の壁取付片７１，７２を壁材質に応じて、例えばＲＣ壁やＧＬ壁では図１０の如くアンカーボルトＢで止着し、ＬＧＳ壁や木質下地では図１１の如くビスＮにて固着する。なお、壁付け用枠材７の取付位置は、図示では省略しているが、当然に表示ボード（図示省略）の設置部の上側になる。
【００３５】
上述のように表示ボード１の上枠部１１上又は壁付け用枠材７に取り付けるレール本体２０には、組立手順として、その取り付け前に予め、プロジェクター支柱３１を立設した可動台座４を走行可能状態、つまり後部支持ローラー４２及び横回転ローラ４３が走行ガイド枠部２６内に嵌入した状態に載置すると共に、図２に示すように、駆動モーターＭと所要長さの歯付きベルト８を巻掛けた駆動・従動プーリーＰ１，Ｐ２とを取付枠２９を介して取り付け、該歯付きベルト８の両端部８０，８０をベルト止着板４８を介して可動台座４に止着しておくのがよい。そして、該レール本体２０の取り付け後、図５に示すように、配線用溝部２３に所要本数のプロジェクター用伝送ケーブルＣを引き込み、これを配線穴６０ａに通した蓋板部材６を配線用溝部２３上に被せてビス止めすると共に、この蓋板部材６に固定端部５ｂを固着したケーブルダクトチェーン５に伝送ケーブルＣを挿通させ、該ケーブルダクトチェーン５の可動端部５ａを可動台座４側に連結し、該可動端部５ａから導出する伝送ケーブルＣをプロジェクター支柱３１内へ配線口３１ａから引き込んで接続する一方、該プロジェクター支柱３１に伸縮アーム３２とプロジェクター３を取り付ける。なお、レール本体２０の両端ならびに壁付け用枠材７の両端には、ビスホール２８，７７を利用して端板（図示省略）がビス止めされる。
【００３６】
この表示ボード用プロジェクターの走行装置では、駆動モーターＭの可逆転駆動によって可動台座４をガイドレール２上の所要位置へ自動的に移動可能であり、また該駆動モーターＭの停止状態においても手動用把手４４を掴んで該可動台座４を手操作で同様に移動可能であり、もって該可動台座４に搭載したプロジェクター３による映像を表示ボード１の板面１ａの左右方向の任意位置に投影できる。なお、その映像サイズも伸縮アーム３２の伸縮によって拡縮できる。また、可動台座４の自動での走行操作にはリモコンが使用される。
【００３７】
そして、このような走行装置によれば、ガイドレール２のレール本体２０が前後両側に長手方向に連続する中空部２１，２２を有することで高剛性であることに加え、プロジェクター３を搭載した可動台座４の前後両側の支持ローラー４１，４２が両中空部２１，２２上を転動し、プロジェクター３部分の全体重量を両中空部２１，２２で受ける形になるから、長尺であってもガイドレール２としての充分な強度を確保でき、左右幅が非常に大きい表示ボード１でも対応する長いガイドレール２を採用することで、板面１ａ全体を投影域にすることが可能である。また、各プロジェクター用伝送ケーブルＣの可変配線部は、ケーブルダクトチェーン５に保持され、可動台座４の移動に伴って曲がり部分が一定の曲率を保って移行してゆくから、曲がりの局所的な集中による劣化が防止される。
【００３８】
しかも、各伝送ケーブルＣの外部からケーブルダクトチェーン５の固定位置までの引き込み配線は、ガイドレール２の配線用溝部２３を通して行えるため、該ガイドレール２が長尺であっても極めて作業容易である。また、ガイドレール２を表示ボード１の上枠部１１上に取り付ける場合でも、該上枠部１１に対し、上方に開放した配線用溝部２３でビス止めすることにより、ガイドレール２が長尺であっても取付作業が極めて容易になる。そして、該配線用溝部２３は蓋板部材６によって封鎖され、その配線部分が外部に露呈しないため、外観体裁が良いと共に配線も保護される。更に、ケーブルダクトチェーン５が蓋板部材６上に配置し、ガイドレール２の左右一方側において可動台座４が当該ケーブルダクトチェーン５の折り返し下側部分を跨いだ状態で移動する形になるから、ガイドレール２の前後幅を狭くして走行部全体を機能的にコンパクトに構成できる。
【００３９】
ガイドレール２に対する蓋板部材６の取り付けにはビス止め、圧嵌、スライド嵌合、接着等の種々の方式を採用できるが、実施形態のように蓋板部材６の前後一方側に下向きの係止片６２を設け、レール本体２０側に対応する係止溝２７を設けた構成では、該係止片６２を係止溝２７に係合し、蓋板部材６の前後他方側のみを該レール本体２０にビス止めすればよいから、その取付作業を容易に能率よく行えると共に、後々のケーブルメンテナンスも容易に行える。
【００４０】
一方、ガイドレール２に実施形態のような壁付け用枠材７が付属する構成では、該建物壁面Ｗに壁付け用枠材７をビス止め又はボルト止めし、その掛止部７３にガイドレール２のレール本体２０側の掛止片２４を掛合すると共に、該レール本体２０の後部底面側を壁付け用枠材７のレール受け部７４上に載置してビス止めすることにより、簡単にガイドレール２を安定した状態に壁付けできる。また、該壁付け用枠材７は長手方向に連続する中空部７０の上下に壁取付片７１，７２を一体形成した構造であり、それ自体が高剛性で大きな耐過重強度を有するから、長尺のガイドレール２とプロジェクター３を搭載した可動台座４及びケーブルダクトチェーン５の総重量を無理なく支承できる。更に、実施形態の如く、レール本体２０の後面側下端部の下向き突片２５を、壁付け用枠材７のレール受け部７４の基部に設けた溝部７５に嵌合させる構成では、その嵌合によってレール本体２０が安定した状態で該壁付け用枠材７に保持されるから、次のビス止め作業をより容易に行えるという利点がある。
【００４１】
なお、実施形態ではガイドレール２に沿う可動台座４の走行移動を自動方式及び手動方式のいずれでも可能とする構成を例示したが、本発明の走行装置は両方式の一方のみとする構成を包含する。そして、可動台座４の自動走行方式としては、実施形態のような駆動・従動プーリーＰ１，Ｐ２間を周回する歯付きベルト８を用いる方式に限らず、チェーンやワイヤーを介して可動台座４を自動的に牽引する方式、レール方向に沿って配設したボールねじの如きねじ軸に螺合するナットを可動台座４に取り付け、該ねじ軸を回転駆動させる方式等、種々の方式を採用できる。また、実施形態ではレール本体２０の走行ガイド枠部２６内に可動台座４の横回転ローラー４３が配置することで該可動台座４の走行時の前後変位を防止しているが、このような前後変位の防止手段としても他の様々な方式を採用できる。
【００４２】
本発明の走行装置としては、各機能部の配置が実施形態による例示とは前後逆あるいは左右逆である構成を包含すると共に、プロジェクター３及び可動台座４の形態、前後の支持ローラー４１，４２の数と配置、ガイドレール２のレール本体２０と蓋板部材６及び壁付け用枠材７の断面形状、ケーブルダクトチェーン５の形状、プロジェクター用伝送ケーブルＣの本数、可動台座４に対する歯付きベルト８の止着構造等、細部構成については実施形態以外に種々設計変更可能である。また、本発明の走行装置を適用する表示ボードとしては、図１で例示した昇降式のものに限らず、壁固定式、支柱固定式、レールによる移動式、キャスターを備えた可搬式等、特に制約はない。また、ここでいう表示ボードは、ホワイトボード、スクリーンボード、電子黒板、黒板等を包含する。
【符号の説明】
【００４３】
１          表示ボード
１１        上枠部
２          ガイドレール
２０        レール本体
２１        前側中空部
２２        後側中空部
２３        配線用溝部
２４        掛止片
２５        下向き突片
２６        走行ガイド枠部
２７        係止溝
３          プロジェクター
４          可動台座
４１，４２  支持ローラー
４３        横回転ローラー
５          ケーブルダクトチェーン
５ａ        可動端部（止着部）
６          蓋板部材
６１        立ち上げ片
６２        係止片
７          壁付け用枠材
７０        中空部
７１，７２  壁取付片
７３        掛止部
７４        レール受け部
７５        溝部
８          歯付きベルト
Ｃ          プロジェクター用伝送ケーブル
Ｍ          駆動モーター
Ｐ１        駆動プーリー
Ｐ２        従動プーリー
Ｗ          建物壁面
【図１】
2016112817.tif 000003
【図２】
2016112817.tif 000004
【図３】
2016112817.tif 000005
【図４】
2016112817.tif 000006
【図５】
2016112817.tif 000007
【図６】
2016112817.tif 000008
【図７】
2016112817.tif 000009
【図８】
2016112817.tif 000010
【図９】
2016112817.tif 000011
【図１０】
2016112817.tif 000012